(57)【要約】【課題】ＣＡＴＶ再送信システムの従来の構成では、番組再送信装置である、ＣＡＴＶ送信装置の故障が発生した場合には、放送停波が発生する。このとき、障害の原因を解決し、サービスが再開されるまでの時間が放送停波時間となり、放送停波時間を短縮することが必要である。【解決手段】ＴＳ送出装置２０から受信されるＴＳのＰＡＴ、もしくはＰＭＴを監視することにより、ＴＳ送出装置２０に故障が発生した場合は、ＴＳ送出装置２１に入力を切り替えて出力１３より出力することにより、ＣＡＴＶ加入者側から見たサービスの停止が伴わないＣＡＴＶ再送信システムの保守を容易に行うことができる。【選択図】図１
2007104473.tif 000002
【特許請求の範囲】
【請求項１】
デジタル放送信号の有無を常時監視する入力監視装置は、デジタル放送信号送出システムからのデジタル放送信号を受信する主デジタル放送信号受信手段と、
前記デジタル放送信号送出システムとは別の経路から送出されるデジタル放送信号を受信する副デジタル放送信号受信手段と、
前記主デジタル放送信号受信手段で受信したデジタル放送信号からＰＡＴを抽出するＰＡＴ抽出手段と、
前記ＰＡＴ抽出手段で抽出したＰＡＴの内容を解析するＰＡＴ解析手段と、
外部から指定された監視対象サービスを装置内部で保持しておく監視対象サービス管理手段と、
前記ＰＡＴ解析手段の出力と、監視対象サービス管理手段が保持している監視対象サービスより、サービスの有無を判断するサービス監視手段と、
前記サービス監視手段での結果により、主デジタル放送受信手段と副デジタル放送受信手段から出力されるデジタル放送信号を選択するデジタル放送信号選択手段と、
前記デジタル放送信号選択手段から出力されるデジタル放送信号を、外部に送出するデジタル放送信号送出手段を具備し、
前記サービス監視手段は、主デジタル放送信号受信手段で受信されたＰＡＴに、監視対象サービスが記載されなくなったことを検知し、副デジタル放送信号受信手段で受信されたデジタル放送信号を選択するよう、前記デジタル放送信号選択手段に信号を出力することを特徴とするデジタル放送入力切替装置。
【請求項２】
前記デジタル放送入力切替装置は、前記ＰＡＴ抽出手段においてＰＡＴを受信する時間間隔を計測し、平均受信間隔以上の一定間隔を超えてＰＡＴが受信されないときに、前記副デジタル放送信号受信手段から受信したデジタル放送信号を、前記デジタル放送送出手段より出力することを特徴とする請求項１記載のデジタル放送入力切替装置。
【請求項３】
前記デジタル放送入力切替装置は、前記主デジタル放送信号受信手段において、受信されるトランポートストリームパケットの同期バイトの検出並びに受信時間間隔を計測し、平均受信間隔の整数倍を超えてトランスポートストリームパケットが受信されない時に、前記副デジタル放送信号受信手段から受信したデジタル放送信号をデジタル放送送出手段より出力することを特徴とする請求項１から請求項２記載のデジタル放送入力切替装置。
【請求項４】
前記デジタル放送入力切替装置は、前記主デジタル放送信号受信手段において受信されたＰＭＴを抽出するＰＭＴ抽出手段と、前記ＰＭＴ抽出手段で抽出したＰＭＴの内容を解析するＰＭＴ解析手段を具備し、監視対象サービスを構成するコンポーネントに関する情報がＰＭＴに記載されなくなったことを検出し、前記副デジタル放送信号受信手段から受信したデジタル放送信号を前記デジタル放送送出手段より出力することを特徴とする請求項１から請求項３記載のデジタル放送入力切替装置。
【請求項５】
前記デジタル放送入力切替装置は、外部から指定された切替時間を保持する切替時間保持手段と、内部時計を具備し、指定された切替時間となった時に、前記副デジタル放送信号手段から受信したデジタル放送信号を前記デジタル放送送出手段より出力することを特徴とする請求項１から請求項４記載のデジタル放送入力切替装置。
【請求項６】
前記デジタル放送入力切替装置は、優先順位を持たせた複数の副デジタル放送信号受信手段を具備し、前記主デジタル放送信号受信手段で信号の受信が途絶えたと判断された場合に、優先順位順にデジタル放送信号の受信有無判断を行い、デジタル放送信号を受信している副デジタル放送信号受信手段を選択し、選択したデジタル放送信号を前記デジタル放送送出手段より出力することを特徴とする請求項１から請求項５記載のデジタル放送入力切替装置。
【請求項７】
前記デジタル放送入力切替装置は、信号の受信が途絶えた前記主デジタル放送信号受信手段でのデジタル放送信号の受信が再開したと判断したときに、前記主デジタル放送信号受信手段から受信したデジタル放送信号を前記デジタル放送送出手段より出力することを特徴とする請求項１から請求項６記載のデジタル放送入力切替装置。
【請求項８】
前記デジタル放送入力切替装置は、前記主デジタル放送信号受信手段で信号の受信が途絶え、前記副デジタル放送信号受信手段から受信したデジタル放送信号を前記デジタル放送送出手段より出力した場合、前記主デジタル放送信号受信手段で信号の受信が再開したことを判断しても前記主デジタル放送信号入力手段から受信したデジタル放送信号を前記デジタル放送送出手段から出力しないことを外部から指定する手段を具備し、前記主デジタル放送信号受信手段で信号の受信が再開したときに前記主デジタル放送信号入力手段から受信したデジタル放送信号を前記デジタル放送送出手段から出力しないことを特徴とする請求項１から請求項７記載のデジタル放送入力切替装置。
【発明の詳細な説明】
【技術分野】
【０００１】
本発明は、番組配信システムにおけるデジタル放送入力切替装置及び制御方法に関するものであり、特に、デジタル放送をＣＡＴＶ等の番組配信網に再送信する場合において、デジタル放送番組送出装置の停止に伴う、代替放送への切替方法並びに制御方法に関するものである。
【背景技術】
【０００２】
現在、ＣＡＴＶ会社では放送コンテンツをＣＡＴＶ網に再送信を行うために、再送信を行うための装置（以下、ＣＡＴＶ送信装置）が用いられているが、複数のＣＡＴＶ送信装置から出力される放送コンテンツを切り替えるために、放送コンテンツ切替装置が使用されている。
【０００３】
放送コンテンツ切換装置は、ＣＡＴＶ会社でのサービス切替時、また出力中のＣＡＴＶ送信装置からの信号が、何らかの理由で緊急停止してしまった場合に、即、放送を切り替えて停波時間を短時間にする役割を持つ。
【０００４】
前記、放送コンテンツ切替装置は、信号の有無による切替を行うものであり、放送コンテンツの内容による切替を行っていないため、放送コンテンツの基本信号を形成していれば、切替が行われない（例えば、特許文献１を参照）。
【０００５】
通常、映像信号の認識には、映像同期信号の有／無により信号の判定を行っている。従って、同期信号があれば、ハードウェア的には放送は停波していないという判定がなされる。
【０００６】
しかし、ＣＡＴＶ会社から送出される放送コンテンツが、何らかの理由により、停止してしまった場合、送出側の同期信号のみが送出され、放送コンテンツが何も重畳されていない状況で再送信されるという状況が発生することになる。
【０００７】
そのため、放送コンテンツの内容を確認するためには、端末器を通した視聴による映像確認が必要であり、ＣＡＴＶ送信装置の故障による障害を自動的に検出し、障害を復旧するのは困難である。
【０００８】
さらにＣＡＴＶ会社は、連続したサービスをＣＡＴＶ加入者に提供することが重要となっている。このような状況のため、ＣＡＴＶ送信装置の故障による放送停波の防止、もしくは、放送停波時間の短縮が必要である。
【特許文献１】特開２００１−２８５６６６号公報
【発明の開示】
【発明が解決しようとする課題】
【０００９】
解決しようとする問題点は、ＣＡＴＶ再送信システムを例にすると、従来の構成では、番組再送信装置である、ＣＡＴＶ送信装置の故障が発生した場合でも、ＣＡＴＶ送信装置から出力される信号が、放送コンテンツの基本信号を形成していれば、視聴時の状態によらず、正常に動作しているＣＡＴＶ送信装置からの放送コンテンツに切替ることができない。
【００１０】
前記の状況においては、ＣＡＴＶ視聴者からの連絡もしくは、監視者からの連絡による手動切替を要するため、障害が発生してから原因を解決し、サービスが再開されるまで長時間に及ぶ場合がある。
【００１１】
この時間が放送停波時間となり、ＣＡＴＶ会社として連続したサービスを提供するには、放送停波時間を短縮することが必要である。
【課題を解決するための手段】
【００１２】
本発明は、前記課題を解決するために、ＣＡＴＶ送信装置とＣＡＴＶ網の間で、デジタル化された放送コンテンツの入力有無の判断、さらに、放送コンテンツに含まれる番組情報を構成するＰＡＴ、番組内容を構成するＰＭＴ、を常時監視することにより、番組内容の確認を行い、ＣＡＴＶ送信装置から出力される放送コンテンツがＣＡＴＶ加入者側で視聴できるかどうかの監視を行い、視聴困難な放送コンテンツの場合には、ＣＡＴＶ送信装置に障害が発生したと判断し、正常に放送コンテンツを送出するＣＡＴＶ送信装置からの出力に切替を行うためのデジタル放送入力切替装置を挿入したことを特徴とする。
【００１３】
これにより、ＣＡＴＶ網内での放送停波を防止、もしくは放送停波を最小限に抑制すると共に、サービスを提供しながらＣＡＴＶ送信装置の故障を修復することを可能にすることを特徴とする。
【発明の効果】
【００１４】
本発明により、ＣＡＴＶ会社は加入者に対するサービスの停止をさせることなく、もしくは最小限に抑制し、ＣＡＴＶ送信装置の保守をすることが可能となる。
【発明を実施するための最良の形態】
【００１５】
以下本発明の実施の形態について、図面を参照しながら説明する。
【００１６】
（実施の形態１）
図１は、本発明の実施の形態１における本発明の構成図の一例である。
【００１７】
デジタル放送入力切換装置３０は、主入力１より入力されたトランスポートストリーム（以下、ＴＳ）を受信する主入力受信部３、副入力２より入力されたＴＳを受信する副入力受信部４、主入力受信部３で受信したＴＳからＰＡＴを抽出するＰＡＴ抽出部５、抽出したＰＡＴを解析するＰＡＴ解析部６、監視対象サービス入力７より入力されたサービス情報をＣＰＵ８を経由して保持する監視対象サービス管理部９、入力されたサービスを監視するサービス監視部１０、入力信号を選択する信号選択部１１、選択された信号を出力１３へ出力する信号出力部１２から構成される。
【００１８】
ここで、主入力１から入力された番組を構成するＴＳは、主入力受信部３で受信される。
【００１９】
主入力受信部３で受信したＴＳは、信号選択部１１を経由して、信号出力部１２より出力１３へ出力される。
【００２０】
一方、主入力受信部３で受信したＴＳは、ＰＡＴ抽出部５にも送られＰＡＴ情報が再構築される。
【００２１】
ＰＡＴ抽出部５に送られたＴＳより、ＰＡＴ情報を再構築するのは、入力サービスを監視するために必要な情報を抽出し易くするためである。
【００２２】
ＰＡＴ抽出部５で再構築されたＰＡＴ情報は、ＰＡＴ解析部６において、ＰＡＴに記載されているサービス番号が抽出される。
【００２３】
また、監視対象サービス入力７より入力された監視対象とするサービスの情報をＣＰＵ８を経由して、監視対象サービス管理部９で保持する。
【００２４】
このとき、サービス監視部１０は、監視対象サービス管理部９で保持されているサービスと、ＰＡＴ解析部６においてＰＡＴより抽出されたサービス番号を比較し、ＰＡＴ中に監視対象のサービス番号の記載があるかどうかを判断する。
【００２５】
例えば、監視対象サービス入力７より入力された、監視対象のサービスが、「１００」チャンネルとする。主入力１より入力されているＴＳが、主入力受信部３からＰＡＴ抽出部５、ＰＡＴ解析部６に送られ、監視対象のサービス「１００」チャンネルが入力されたサービスに含まれているかどうかを常時監視するものである。
【００２６】
サービス監視部１０において、ＰＡＴ中に監視対象サービス番号が記載されていないと判断された場合は、信号選択部１１へ、主入力受信部３で受信されるＴＳから、副入力受信部４で受信されるＴＳへ切替を指示することにより、副入力受信部４で受信したＴＳが、信号選択部１１を経由して信号出力部１２へ転送され、出力１３より出力される。
【００２７】
以上の制御により入力切替制御が可能となり、主入力１に対してＴＳ送出装置２０に障害が発生した場合に、ＴＳ送出装置２１が出力しているＴＳに自動的に切り替えることができる。
【００２８】
（実施の形態２）
図２は、本発明の実施の形態２における本発明の構成図の一例である。
【００２９】
図１の構成にさらに、ＰＡＴ解析部６が参照を行うタイマ１４が追加されている。
【００３０】
ここでは、ＰＡＴ解析部６が、主入力受信部３で受信したＴＳ中にＰＡＴが含まれなくなったことを判断する例を説明する。
【００３１】
ＰＡＴ解析部６は、ＰＡＴ抽出部５で再構築されたＰＡＴ情報がＰＡＴ解析部６に送られてきた時間をタイマ１４から前回ＰＡＴ受信時刻として取得し保持する。
【００３２】
そして、ＰＡＴ解析部６は、ＰＡＴ抽出部５より、次に送られてくるＰＡＴ情報の時刻をタイマ１４を参照しながら監視を行う。
【００３３】
ＰＡＴ抽出部５より次のＰＡＴ情報が送られてきたときは、ＰＡＴ解析部６は、タイマ１４を参照して、前回のＰＡＴ受信時刻をタイマ１４から取得した時刻に更新すると同時に、ＰＡＴ情報受信間隔の平均時間間隔を計測する。前記平均時間間隔は、監視対象サービス入力７を経由して外部に出力される。
【００３４】
ここで、ＴＳ送出装置２０より、ＴＳの全て、もしくは、ＰＡＴを含む一部のＴＳが送出されなくなった場合に、ＰＡＴ解析部６は、ＰＡＴ情報をＰＡＴ抽出部５から受信できなくなる。
【００３５】
ＰＡＴ解析部６は、タイマ１４を参照しながら、一定間隔を超えて、ＰＡＴ情報が受信されない場合は、サービス監視部１０にＰＡＴ情報未受信状態を通知する。
【００３６】
サービス監視部１０は、ＰＡＴ情報未受信状態をＰＡＴ解析部６から受信すると、信号選択部１１に対して、副入力受信部４で受信したＴＳを信号出力部１２に転送するように指示し、ＴＳを自動的に切り替えることができる。
【００３７】
ＰＡＴ解析部６がＰＡＴ情報未受信と判断するための時間は、監視対象サービス入力７と同じ経路を経由して、外部より設定され、ＰＡＴ解析部６で保持される。外部より設定することにより、任意の時間間隔での監視ができる。また、ＰＡＴ送出間隔は、ＡＲＩＢ規格により１００ｍｓｅｃと決まっているため、その整数倍の時間で設定すれば、ＰＡＴ未受信状態の監視時間を設定することが可能である。
【００３８】
（実施の形態３）
図３は、本発明の実施の形態３における本発明の構成図の一例である。
【００３９】
図２の構成にさらに、主入力受信部３がタイマ１４の参照を行う系と、主入力受信部３がＴＳ未受信状態をサービス監視部１０に通知する系が追加されている。
【００４０】
ここでは、主入力受信部３が、ＴＳの同期バイトの検出並びに受信時間間隔を計測しＴＳが受信されなくなったことを判断する例を説明する。
【００４１】
主入力受信部３は、主入力１に入力されたＴＳの同期バイトを監視する。
【００４２】
図６は、伝送されるＴＳパケットを示す図の一例である。
【００４３】
ＴＳの同期バイト（０ｘ４７）は、１８８バイト単位で送信されるＴＳパケットの先頭を示す。従って、同期バイトを常時監視することにより、ＴＳパケットが入力されていると判断することが可能となる。
【００４４】
本発明の対象となるＴＳは、１８８バイト、もしくは、２０４バイトのデータを単位とし、前記データ列の先頭は、同期バイトと呼ばれる１バイトのデータが挿入された形式となっている。さらに、前記の形式を持たないデータ列は、ＴＳとしての意味をなさない。従って、ある一ＴＳの伝送時間後に受信されるべきデータは、同期バイトであるとすることができる。よって、同期バイトを監視することにより、主入力から受信があると判断できる。
【００４５】
主入力受信部３がこの同期バイトを受信すると、タイマ１４を参照して前回ＴＳ受信時刻として取得し保持する。
【００４６】
次に、ＴＳを受信したときは、タイマ１４を参照して前回ＴＳ受信時刻をタイマ１４から取得した時刻に更新すると同時に、ＴＳ情報受信間隔の平均時間間隔を計測する。
【００４７】
主入力受信部３は、タイマ１４を参照しながら、平均時間間隔の整数倍を超えて、ＴＳが受信されない場合は、サービス監視部１０にＴＳ未受信状態を通知する。
【００４８】
主入力受信部３がＴＳ情報未受信と判断するためのＴＳ情報受信平均時間間隔の整数倍の数値は、監視対象サービス入力７と同じ経路を経由して、外部より設定され、主入力受信部３で保存される。これにより、任意の時間間隔での監視ができる。
【００４９】
ここで、ＴＳ情報未受信と判断するための条件として、ＴＳ情報受信平均時間間隔の整数倍としたのは、送信側の機器において、何らかの理由により送信間隔が延びてしまったときのことを考慮して整数倍とし、余裕を有するものである。
【００５０】
ＴＳを伝送する速度を一定にすることにより、一ＴＳを、主入力受信部３が受信する時間も一定となる。
【００５１】
次に、あるＴＳと次に受信されるＴＳとの時間間隔から、ＴＳの伝送時間を除いた時間は、ＴＳで伝送する内容、ＴＳを出力する装置の精度により揺れを生じてしまう。
【００５２】
そこで、前記揺れを平均値として求め、さらに、求められた平均値を整数倍することにより、本発明が、ＴＳ間に生じる時間的揺れによって、誤ったＴＳ情報未受信と判断することを防止することができる。
【００５３】
サービス監視部１０は、ＴＳ未受信状態を主入力受信部３から受信すると、信号選択部１１に対して、副入力受信部４で受信したＴＳを信号出力部１２に転送するように指示し、ＴＳを自動的に切り替えることができる。
【００５４】
（実施の形態４）
図４は、本発明の実施の形態４における本発明の構成図の一例である。
【００５５】
図３の構成にさらに、主入力受信部３で受信したＴＳより、ＰＭＴを抽出するＰＭＴ抽出部１６と、ＰＭＴ抽出部１６により抽出されたＰＭＴ情報を解析するためのＰＭＴ解析部１５、および、監視対象サービス入力７とＣＰＵ８を経由して外部より設定される監視対象コンポーネント情報を保持する監視対象コンポーネント管理部１７が追加されている。
【００５６】
ＴＳ送出装置２０から送出されたＴＳは、主入力受信部３で受信される。
【００５７】
主入力受信部３で受信されたＴＳは、ＰＭＴ抽出部１６に転送され、ＰＭＴ情報が抽出される。
【００５８】
ＰＭＴ抽出部１６で抽出されたＰＭＴ情報は、ＰＭＴ解析部１５により、ＴＳ送出装置２０が送出している番組を構成するコンポーネント情報が抽出される。
【００５９】
図７は、ＰＭＴ構造を示す一例である。
【００６０】
ＰＭＴ内のコンポーネント情報には、番組を構成している映像、音声、データといった単位で、伝送ＴＳを識別するための情報と、そのＴＳで伝送している内容、受信装置側で利用するための情報が記録されている。
【００６１】
そこで、ＰＭＴ内のコンポーネント情報を監視することにより、番組を構成している映像、音声、データの有無、伝送ＴＳの識別を行うことができる。
【００６２】
サービス監視部１０は、ＰＭＴ解析部１５で抽出されたコンポーネント情報と、監視対象コンポーネント管理部１７に保持されている監視対象のコンポーネント情報を参照し、監視対象のコンポーネント情報がＰＭＴ内に記載されなくなったことを検出し、信号選択部１１に、副入力受信部４で受信しているＴＳに切り替えることを指示する。
【００６３】
以上の制御により入力切替制御が可能となり、主入力１に対してＴＳ送出装置２０に障害が発生した場合に、ＴＳ送出装置２１が出力しているＴＳに自動的に切り替えることができる。
【００６４】
（実施の形態５）
図５は、本発明の実施の形態５における本発明の構成図の一例である。
【００６５】
図４の構成にさらに、内部時計を管理する時計管理部１８と、主入力から副入力への切替時間を保持する切替時間管理部１９が追加されている。
【００６６】
切替時間管理部１９が管理する情報は、監視対象サービス入力７とＣＰＵ８を経由して外部から設定される。
【００６７】
時計管理部１８は、内部時計を常時監視し、切替時間管理部１９が保持している切替時間と内部時計の時間が一致すると、サービス監視部１０に主入力１から副入力２への切替を指示する。
【００６８】
切替を指示されたサービス監視部１０は、信号選択部１１へ、主入力受信部３で受信されるＴＳから副入力受信部４で受信されるＴＳへ切替を指示することにより、副入力受信部４で受信したＴＳは、信号選択部１１を経由して、信号出力部１２へ転送され、出力１３より出力される。
【００６９】
以上の制御により入力切替の時刻制御が可能となり、主入力１に対してＴＳ送出装置２０の定期保守等で、運用時間外に入力の切替を行いたい場合などに、ＴＳ送出装置２１が出力しているＴＳに指定した時刻で自動的に切り替えることができる。
【００７０】
（実施の形態６）
図１から図４においては、ＴＳ入力が主入力１と副入力２の２入力となっているが、ＴＳの入力数を限定せずに副入力を複数もたせ、さらに、各副入力に切り替える順番を決定するための優先順位をもたせることにより、主入力のＰＡＴ中に監視対象サービス番号が記載されていない、或いは、監視対象のコンポーネント情報がＰＭＴ内に記載されなくなったなどＴＳ入力がないと判断された場合は、複数の副入力から優先順位に従い、ＴＳ入力の有無を判断し、ＴＳ入力がある副入力に切り替える。
【００７１】
これにより、複数の入力ＴＳから出力１３に出力するストリームを選択することができる。
【００７２】
ここで、優先順位は、監視対象サービス入力７とＣＰＵ８を経由して外部から設定することができる。
【００７３】
（実施の形態７）
実施の形態１〜６においては、ＴＳ入力が主入力１から副入力２に切り替わった後、主入力１のＴＳ入力が復旧しても副入力２から主入力１への復帰は行っていないが、この主入力１へのＴＳ入力が復旧した場合、副入力２のＴＳ入力状態に関わらず、主入力１への復帰を行う。
【００７４】
これにより、入力１からＴＳ入力が正常に行われている場合、入力１を主入力装置にほぼ固定することができる。
【００７５】
ここで、主入力１のＴＳ入力の再開は、サービス監視部１０において判断を行う。
【００７６】
（実施の形態８）
実施の形態７においては、ＴＳ入力が主入力１から副入力２に切り替わった後、主入力１のＴＳ入力が復旧した場合は副入力２から主入力１への復帰を行うが、外部からの設定により、主入力への復帰を行わず、副入力からの信号入力を継続する。
【００７７】
ここで、主入力への非復帰の設定は、監視対象サービス入力７とＣＰＵ８を経由して外部から設定することができる。
【００７８】
切り替えた副入力信号でそのまま固定しておくことにより、視聴している加入者に対して短時間ではあるが停波を頻繁に発生させることを防ぐという運用も可能となる。
【産業上の利用可能性】
【００７９】
ＣＡＴＶ会社において、サービスの停止を伴わないＣＡＴＶ送信装置の保守に有用である。また、ＣＡＴＶ送信装置が故障した場合にも短時間で他のＣＡＴＶ送信装置に切り替えることができるため、加入者へのサービス停止時間を短くすることができる。
【００８０】
さらには、簡易トランスポートストリーム切替装置として使用することができる。
【図面の簡単な説明】
【００８１】
【図１】本発明の実施の形態１に係るデジタル放送入力切替装置の構成を示すブロック図
【図２】本発明の実施の形態２に係るデジタル放送入力切替装置の構成を示すブロック図
【図３】本発明の実施の形態３に係るデジタル放送入力切替装置の構成を示すブロック図
【図４】本発明の実施の形態４に係るデジタル放送入力切替装置の構成を示すブロック図
【図５】本発明の実施の形態５に係るデジタル放送入力切替装置の構成を示すブロック図
【図６】ＴＳパケットの一例を示した図
【図７】ＰＭＴ構造を示した図
【符号の説明】
【００８２】
１    主入力
２    副入力
３    主入力受信部
４    副入力受信部
５    ＰＡＴ抽出部
６    ＰＡＴ解析部
７    監視対象サービス入力
８    ＣＰＵ
９    監視対象サービス管理部
１０    サービス監視部
１１    信号選択部
１２    信号出力部
１３    出力
１４    タイマ
１５    ＰＭＴ解析部
１６    ＰＭＴ抽出部
１７    監視対象コンポーネント管理部
１８    時計管理部
１９    切替時間管理部
２０    トランスポートストリーム送出装置
２１    トランスポートストリーム送出装置
【図１】
2007104473.tif 000003
【図２】
2007104473.tif 000004
【図３】
2007104473.tif 000005
【図４】
2007104473.tif 000006
【図５】
2007104473.tif 000007
【図６】
2007104473.tif 000008
【図７】
2007104473.tif 000009